(57)【要約】【課題】芝の保護のために用いられる芝保護マット体の提供。【解決手段】本発明の芝保護マットは、多角形で連続して構成されたボディー部とその上部に一体に突出形成された突出柱と、前記ボディー部と外郭枠部の底部に一体に突出形成されたラグ部材と、マットの下部に提供されたマットの地面への陥没を防止する陥没防止手段を含む。【選択図】図１０
2011019535.tif 000002
【特許請求の範囲】
【請求項１】
芝の生育空間を形成しつつ多角形で連続して構成されたボディー部と、
前記ボディー部の上部に一体に突出形成された突出柱と、
前記ボディー部と外郭枠部の底部に一体に突出形成されたラグ部材と、
マットの下部に提供されマットの地面への陥没を防止する陥没防止手段と、
を含んで構成された芝保護マット。
【請求項２】
前記ボディー部の上部に前記突出柱の間に一体に突出形成された緩衝ウィングと、
前記ボディー部の外郭に連結されマットの形態を維持させる外郭枠部と、
をさらに含んで構成されたことを特徴とする請求項１に記載の芝保護マット。
【請求項３】
前記外郭枠部に水平設置されマットの連結を可能とするフック手段と、
前記外郭枠部の内側に形成されマット締結時に隣接マットの前記フック手段が挿入締結される開口部と、
をさらに含んでマットが締結されるよう構成されたことを特徴とする請求項２に記載の芝保護マット。
【請求項４】
前記フック手段は、
前記外郭枠部の多数の地点から一体に水平突出され弾性作動のための切開部が設けられたフック胴体と、
前記フック胴体の下部に一体に提供され開口部に挿入固定されるフック部と、
を含んでスライディング形で構成されたことを特徴とする請求項３に記載の芝保護マット。
【請求項５】
前記開口部は、隣接マットの上記スライディング形のフック手段と対応する地点であって、外郭枠部の多数の地点に一体に形成された延長板に形成された締結孔と、上記締結孔の前方にフック手段の進入を誘導するよう形成されたフック手段誘導溝とで構成されたことを特徴とする請求項３に記載の芝保護マット。
【請求項６】
前記ボディー部は、四角、六角、八角のうち１つの形態で連続して構成されたことを特徴とする請求項１に記載の芝保護マット。
【請求項７】
前記陥没防止手段は、前記ラグ部材の下端部に一体に円板状で形成された円板形陥没防止手段であることを特徴とする請求項１に記載の芝保護マット。
【請求項８】
前記陥没防止手段は、前記ラグ部材の間に一体となった補強板の下部に設けられた円板形陥没防止手段であることを特徴とする請求項１に記載の芝保護マット。
【発明の詳細な説明】
【技術分野】
【０００１】
本発明はゴルフ場、野球場、芝生などにおいて、芝保護のために用いられる芝保護マットに関する。さらに詳しくは、マットの連結を容易にし、マットが連結され地面に施されるマット組立体の施工性を向上させる一方、マットが地面に陥没されることを効果的に防止できる芝保護マットに関する。
【背景技術】
【０００２】
ゴルフ場、野球場(grass ballpark)または公園の芝生などのように芝が生育される地域において、人や車（例えば、ゴルフ場のカート）が主に移動する動線地域にある芝は押されやすく損傷したり芝の生長が止まったりする。このような芝損傷地域の改補修には相当の費用が必要となる。
【０００３】
これによって、芝が生育される地域において人や車などが移動する動線地域には、人や車による荷重を支えて緩衝させ芝が損傷されることを保護するため芝保護マットが使用され、このような芝保護マットは既に知られている。
【０００４】
例えば、別途の図面に図示してはいないが、これまで知られた従来の芝保護マットは、マットの骨格を成すボディーとボディーの底部に具備され地面に置かれるラグ部材とボディーの上部に具備され加わる荷重を支える突出柱と荷重を分散緩衝させる緩衝ウィングとマットの外郭枠を維持させる外郭枠部とで構成されている。
【０００５】
また、上記外郭枠部にはマットを連結する際に使用するようマットの外郭枠部に挟む‘Ｌ字状のフックまたは隣接マットの連結時に相互をはめるボタン状のフックが具備されている。
【０００６】
即ち、従来の芝保護マットはラグ部材と突出柱がマット上を通過する人や車などから加わる荷重を支え、緩衝ウィングは加わる荷重を分散させマット内で生育、活着した芝の損傷を防止するものである。
【０００７】
ところが、これまで知られた従来の芝保護マットにおいては、マットの連結時に単純なＬ字状またはボタン状のフックを用いてマットを連結するため、フックの操作が困難で垂直方向に押して挟む形態であるため実質的なマットの連結施工も不便であった。
【０００８】
特に、このような従来の芝保護マットのフックは、マットの組立時に外郭枠部から容易に離脱される問題があった。
【０００９】
次に、従来の芝保護マットは地面施工時に、マットの角部分を針金で結んで締結（図１３参照）するため、マットの施工も難しく改補修時の廃マットの分離も困難であるなどの問題が発生する。
【００１０】
また、従来の芝保護マットの場合、芝が保護される必要のある地域に組立施工された後、時間が経つにつれマットが地面に沈むため芝を効果的に保護できなくなるという他の問題があった。
【００１１】
例えば、芝保護マットが地面に沈んだりゴルフ場のように芝保護のために砂を覆う場合、芝保護マットが芝を保護できる高さがそれだけ低くなるため、実質的に芝を保護できなくなる。
【００１２】
これによって、芝保護マットの組立施工時に先に施されたマットに隣接マットを移動させながら簡単にマットの縦及び横方向の連結を可能とするスライディング型フック手段と、芝保護マットが地面に沈み込むことを防ぐ陥没防止手段を備え、特に、簡単にマットを地面に組立施工できるようにするマット締結具を用いたマット組立体が求められてきた。
【発明の開示】
【発明が解決しようとする課題】
【００１３】
本発明は、上記のような従来の様々な問題点を改善するために成されたものであって、その目的は、芝保護マットの連結及び組立施工を容易にする一方、施工後の芝保護マットの地面への沈み込みを効果的に防ぎ、特に、芝保護は勿論のこと生育も円滑にする芝保護マットを提供することにある。
【課題を解決するための手段】
【００１４】
上記のような目的を解決するための技術的な一側面として本発明は、
芝の生育空間を形成しつつ多角形で連続して構成されたボディー部と、
前記ボディー部の上部に一体に突出形成された突出柱と、
前記ボディー部と外郭枠部の底部に一体に突出形成されたラグ部材と、
マットの下部に提供されマットの地面への陥没を防止する陥没防止手段と、
を含んで構成された芝保護マットを提供する。
さらに技術的な他の側面として本発明は、芝保護マットと、
前記芝保護マットの角の部分を連結固定させるマット締結具と、
を含んで芝保護マットを連結構成したマット組立体を提供する。
【発明の効果】
【００１５】
このように本発明の芝保護マットによると、施工後に芝保護マットが地面に陥没することを効果的に防ぎ、特に芝保護は勿論のことその生育性も向上させる優れた効果を提供する。また、本発明のマット組立体は、マットの連結は勿論、実際の芝が保護、生育する地面上でのマットの組立施工も容易にすることにより、マット組立体の施工作業性を向上させ施工費用を低減させる他の優れた効果を提供する。
【発明を実施するための最良の形態】
【００１６】
図１乃至図３では、本発明の芝保護マット１の全体構成を図示している。
即ち、本発明の芝保護マット１は、マットの骨格を成すボディー部１０と、突出柱２０と、緩衝ウィング３０と、外郭枠部４０と、ラグ部材５０と、フック手段６０と、開口部７０とを含んで構成されており、これら構成要素を詳しく説明すると次の通りである。
【００１７】
先ず、図１及び図２で図示した通り、本発明の芝保護マット１の上記ボディー部１０は芝の生育が順調であるよう可能な限り空間を広くした六角形態が連続して連結され六角形の芝収容空間１２を提供し、マットの強度を維持する骨格を構成する。
ところが、上記ボディー部１０は、次の図９から説明するように八角形態であることができ、または図面で図示していないが四角形態であることが出来る。
これによって、上記ボディー部１０が六角形態で形成されることで最大に空間が拡張した芝収容空間１２を提供し、この空間で芝が円滑な光合成作用により保護及び生育されることが出来る。
【００１８】
次に、図１及び図３では本発明の芝保護マット１のボディー部１０と外郭枠部４０の底部に一体に突出提供されるラグ部材５０を図示している。
このような本発明のラグ部材５０は、人や車（車輪）が通過しながら加える荷重を上記突出柱２０と共に支えマットの破損や芝が押しつぶされ損傷されることを防止する。
また、このようなラグ部材５０は、上記ボディー部１０と外郭枠部４０の底部に一定間隔で配置されるが、最も好ましくは、上記ボディー部１０の連結交差点に配置されることである。
【００１９】
例えば、六角形態のボディー部１０は四角形態のボディー部よりその交差点が増大されラグ部材５０がさらに提供できるようになる。
【００２０】
次に、図１乃至図３では、本発明の芝保護マット１のボディー部の上部に突出して設けられた突出柱２０と緩衝ウィング３０を図示している。
即ち、図１及び図２で図示した通り、本発明の突出柱２０は、上記ボディー部１０の上部側に一体に突出形成され荷重を支えている。このような突出柱２０は上記ラグ部材５０と同様にボディー部１０の連結交差点に配置されることが好ましい。
【００２１】
また、上記突出柱２０は図１で要部図により図示した通り、下部にいくほど円周が増大される補強部２０ａを含んで荷重を支える強度を増大させることが好ましい。
【００２２】
即ち、このような補強部は、実際に芝保護マットの使用時間が経つに連れ外部環境により突出柱の強度が弱くなるが、これを補完する。
【００２３】
また、上記緩衝ウィング３０は上記ボディー部１０の上部に突出柱２０の間に一体に突出形成され上記突出柱２０より長く形成されるため、人や車がマットを通過するとき、殆どの荷重は突出柱とラグ部材で支えられるが、緩衝ウィングは荷重を分散させ芝に加わる垂直衝撃を緩和させる役割をする。
【００２４】
この際、図３で図示した通り、上記緩衝ウィング３０はボディー部１０上に最も多く具備され、最も高く突出されるため、人の足や車輪が最初に接触する部分である。従って別途の図面で図示してはいないが上記緩衝ウィング３０の表面をナーリング面で形成すると滑りが防止されて好ましい。
例えば、ゴルフ場で早朝露が発生した芝保護マットを通過するゴルファーの場合、滑り事故を予防することが出来る。
次に、図１及び図２は、本発明の芝保護マット１の外郭枠部４０を図示している。
【００２５】
即ち、図１及び図２で図示した通り、本発明の外郭枠部４０はボディー部１０が一体に連結されつつ１つの正方形または矩形を構成し、マットの全体的形態を維持する。
この際、図１で図示した通り、上記外郭枠部４０の角部分の下部には補強リブ４２が提供されることが好ましい。
【００２６】
次に、図４及び図５は芝保護マット１で対角線を基準に両側にそれぞれ配置される芝保護マット１の連結施工を可能とするスライディング型フック手段６０及び隣接マットのフック手段６０が結合固定される締結開口部７０を図示している。
【００２７】
この際、上記スライディング型フック手段６０は、上記外郭枠部４０の多数の地点から一体に水平突出され弾性作動のための切開部６２が設けられたフック胴体６４及び上記外郭枠部の外郭で上記フック胴体６４の下部に一体に提供されたフック部６６で構成される。
【００２８】
従って、別途の図面で図示してはいないが既存の殆どの芝保護マットが単純なＬ字状（またはボタン状）のフックを使用するため、外郭枠部に提供されたフックを隣接マットの外郭枠部に当て、指で押してマットの連結施工を行うため、マットの連結施工が不便で時間もかかっていた。
【００２９】
特に、従来の場合にはマットの組立時にフックが外郭枠部から頻繁に離脱されていた。
【００３０】
これに対して、本発明の芝保護マットの場合には、スライディング型のフック手段６０が移動しながら対応位置する締結開口部７０に簡単に締結固定されることは勿論、特に、一度締結されると抜けることがないため、従来に比べて芝保護マット１を非常に簡単かつ堅固に縦及び横方向に組み立てることが可能である。
【００３１】
従って、本発明の芝保護マット１は、マットの組立施工時に施工時間を短縮し施工費用を低減させ、全体組立施工性を向上させて一度施工するとその施工構造も堅固である。
【００３２】
一方、上記スライディングフック手段６０が締結される上記締結開口部７０は、隣接マットの上記フック手段と対応する地点として、上記外郭枠部４０の多数の地点に一体に形成された延長板７２に形成された締結孔７４を含む。上記フック手段は上記締結孔７４の前方にフック手段のスライディング進入を可能にする連結形成されたフック手段誘導溝７６をも含む。
【００３３】
従って、図４で図示した通り、本発明の芝保護マット１のフック手段６０と開口部７０を一致させた状態でフック手段６０のフック６６部分が開口部７０の誘導溝７６に沿って前進締結される。
【００３４】
この際、図５で図示した通り、フック胴体６４の切開部６２により狭くなった状態で前進した後、上記開口部７０の締結孔７４に至ると、フック部６６が容易に下降して延長板７２の底面にフック部６６が堅固に掛かって支持される。
【００３５】
そして、図４（ａ）で図示した通り、上記開口部７０の締結孔７４が形成された延長板７２は、マット外郭枠部４０の一地点でボディー部１０から外郭枠部４０側に一体に延長形成された板である。
【００３６】
次に、図６は本発明の芝保護マット１において緩衝ウィング３０を図示している。
【００３７】
即ち、図６（ｂ）で図示したように、従来の芝保護マットは緩衝ウィング３０’の角が鋭く形成されたことに対して、本発明の芝保護マット１の緩衝ウィング３０は半球形でその角がなだらかにラウンディング状に形成されている。
【００３８】
従って、本発明の芝保護マット１では芝が押されながら緩衝ウィングの鋭い角の部分で切られるなどの芝損傷を効果的に防ぐことが出来る。
【００３９】
また、図６（ａ）で図示したように、本発明の芝保護マット１において緩衝ウィング３０は、ボディー部１０上に突出柱２０の間に２つ程度が一体に突出形成され、その切断面３０ａは相互反対になるよう配置することにより、緩衝ウィング３０が実際に押される際、曲がる方向が反対になるようにし荷重をより広く広がるようにして緩衝させる。
【００４０】
次に、図７及び図８はラグ部材５０を図示し、図７はラグ部材５０の間に一体に補強リブ５２を形成したことを図示し、図８はラグ部材５０の間の空隙５４を図示している。
【００４１】
即ち、図７で図示した通り、本発明のラグ部材５０の間に一体に形成された補強リブ５２は、マットに一定に配列配置して芝保護マットの強度を高める。
【００４２】
また、図８で図示した通り、上記ラグ部材５４の間に形成された空隙５４は芝を押すことを最小化するよう最大に拡張されたアーチ状に形成する。
【００４３】
従って、本発明の芝保護マット１は芝損傷を最大に防ぐため、それだけ芝の活着及び生育は勿論、効果的に芝を保護することが出来る。
【００４４】
次に、図９では八角形態のボディー部１０を有する他の形態の芝保護マット１’を図示している。
【００４５】
この場合、図９で図示した通り、八角形態のボディー部１０は他の不要な空間Ａが形成されるため、空間の活用面では六角形態よりは好ましくない。
【００４６】
一方、図面には図示していないが四角形態のボディー部１０を構成することも可能である。
【００４７】
従って、本発明のボディー部１０は四角、六角、八角のうち何れか１つの形態で構成することが可能であるが、最も好ましくは六角形態である。
【００４８】
一方、これまで説明した本発明の芝保護マット１は合成樹脂または合成ゴムなどの弾力性があって腐食しない材質、例えば、ポリエチレンなどで射出成形すれば良い。
【００４９】
次に、図１０乃至図１２は本発明の芝保護マット１に追加で設けられた陥没防止手段を図示している。
【００５０】
即ち、本発明の芝保護マット１において上記陥没防止手段は、芝保護マットが施工後の地面に陥没されることを防ぐが、このような陥没防止手段は様々な形態で提供されることが出来る。
【００５１】
例えば、図１０（ａ）（図３参照）では円筒型の陥没防止手段８０ａを図示している。
【００５２】
即ち、上記円筒型陥没防止手段８０ａはラグ部材５０とボディー部１０の底面に一体となった内部が中空の円筒状で提供され、内側空間には土が流入され、施工後に陥没されることを防ぐ。
【００５３】
次に、図１０（ｂ）はバー型の陥没防止手段８０ｂを図示している。即ち、本発明のバー状の陥没防止手段８０ｂはラグ部材５０の下端部の間に一体に形成されたバー状である。
【００５４】
この際、上記バー型陥没防止手段８０ｂから地面に接する下部面は平坦にして、上部面は芝が接触して損傷しないようラウンドに形成することが好ましい。
【００５５】
従って、このようなバー型の陥没防止手段８０ｂは円筒型の陥没防止手段８０ａに比べて芝保護マットの製作を容易にし、芝保護マットの陥没も防ぐ。
【００５６】
次に、図１１（ａ）は本発明の芝保護マットの第１円板形陥没防止手段８０ｃを図示している。上記第１円板形陥没防止手段８０ｃはラグ部材５０の下端部に一体に単独で提供され、薄い厚さの円板であるため、地面との接触面積が広くなり芝保護マットが施工後の地面に陥没されることを防ぐ。  この際、上記第１円板形陥没防止手段８０ｃはラグ部材５０の最下端よりはやや上方にあってラグ部材が地面に接することを可能にすることが好ましい。
【００５７】
次に、図１１（ｂ）では本発明の芝保護マット１の第２円板形陥没防止手段８０ｄを図示している。本発明の第２円板形陥没防止手段８０ｄはラグ部材５０の間に一体となった補強板８２の下部に形成され補強リブ８２ａが側部に連結される。これにより、第１，２円板形陥没防止手段は芝保護マットの地中陥没を防ぐ。
【００５８】
次に、図１２（ａ）では下端縮小型陥没防止手段８０ｅを図示している。この手段８０eは地面に接触するラグ部材５０の下端部の円周が一地点で減少し階段部を形成することにより、ラグ部材を通したマットの陥没を防止する。
【００５９】
次に、図１２（ｂ），１２（ｃ）は必要な時に締結されるワイヤ締結型陥没防止手段８０ｆとバー締結型陥没防止手段８０ｇを図示している。本発明の上記ワイヤ締結型及びバー締結型陥没防止手段８０ｆ，８０ｇはラグ部材に着脱が可能なため、施工場で芝保護マット１の下部に所望の位置に配置して使用できるため好ましい。
【００６０】
これにより、これまで説明した本発明の様々な形態の陥没防止手段８０ａ−８０ｇは本発明の芝保護マット１が過度に地中に陥没されることを防止する。例えば、ゴルフ場の場合には芝の生育を図るために砂を覆う場合があり、雨の多い梅雨には地面が非常に柔らかいため、芝保護マット１のラグ部材５０が地面に打ち込まれ陥没されやすくなる。従って、陥没されるほど芝保護マットは高さが低くなり芝を実質的に保護できなくなり、結局、現在使用中の芝保護マットの陥没現象が問題となっているのが実情である。本発明の芝保護マットはこれを解消するものである。
【００６１】
次に、図１４乃至図２３は本発明の芝保護マットを含むマット組立体１００とこの際に用いられる様々な形態のマット締結具１１０，１２０，１３０，１４０を図示している。
【００６２】
図１３は従来のマット組立体１００’を図示しているが、マットの角部分の締結孔９０に針金Ｓを結びマットの角を連結締結したことを図示している。従来のマット組立体１００’においては、フックを用いてマットを縦及び横方向に連結組立することは可能であるが、針金Ｓを結んでマットの角部分を連結するため、何よりもマット組立体の連結施工が困難で、針金が腐食し外観的に美麗でなく、特に、改補修時にマットを分離することも困難である。
【００６３】
次に、図１４乃至図１７では既存の針金Ｓ（図１３）を使用することによる問題を解決するためのマット締結具とこれを通して組み立てられたマット組立体１００を図示している。本発明のマット組立体１００で用いられるマット締結具は、マットの角の部分でマット締結孔９０を固定し地中に打ち込まれマットの角の部分を確実に固定してマット組立体の施工性を高めたものである。
【００６４】
図１６は本発明のマット締結具１１０を図示している。このような本発明のマット締結具１１０は、マットの角の部分を圧着する圧着部材１１２と、上記圧着部材１１２の下部中央に一体に形成されマットの角の間の空間を通して地中に打ち込まれる柱部材１１４と、上記圧着部材の下部外郭に一体に形成されマットの角の締結孔９０に挿入固定される多数の固定ピン１１６とで構成される。
【００６５】
図１４及び１５で図示したように、マット締結具１１０の柱部材１１４はマット角の間の空間を通過して地中Ｇに堅固に打ち込まれる。この際、圧着部材１１２により角の部分が固定され、同時に固定ピン１１６はマットの角の部分の締結孔９０に挿入固定され、マットは非常に堅固に組立施工される。この際、図１６で図示したように、上記円板形態の圧着部材１１２の上部には滑りを防止するナーリング面１１２ａが形成されることが好ましい。従って、マット組立体の組立施工時、先ずフック手段６０と締結開口部７０を通して芝保護マット１を縦及び横方向に連結組み立てた後、マット締結具１１０をマット角ごとに配置させ圧着部材を圧着させると、柱部材が地中に打ち込まれ非常に簡単かつ堅固にマット組立体の施工を完了することが出来る。
【００６６】
この際、図１５及び図１６で図示した通り、本発明の柱部材１１４の上部に支持段部１１４ａが形成され、マットの角部分の底部がこの支持段部１１４ａにより支持されるため、マットが個別に上に上げられることを防ぐ。そして、上記柱部材１１４には少なくとも１つの離脱防止段１１４ｂが形成され柱部材１１４が一回地中Ｇに打ち込まれると、マット締結具は簡単に地面上に離脱されずマット組立体の施工状態が堅固に維持されるようにする。また、柱部材１１４の下端は鋭い円錐部１１４ｃになっており柱部材が地中に打ち込まれることを円滑にする。
【００６７】
図１７（ａ）では本発明のマット締結具の変形例１１０’を図示している。圧着部材１１２’を十字形で構成したものである。この場合、円板の圧着部材１１２よりは芝を覆う部分が減るため、芝の光の露出を拡大させ光合成を円滑にするという利点を提供する。
【００６８】
次に、図１７（ｂ）では本発明のマット締結具のさらに他の変形例１１０’’を図示している。これは、柱部材の形態に関する。即ち、柱部材１１４’を断面上の十字形で形成したものであるが、この場合柱部材が地中に打ち込まれた後に回転することを防ぐ。
【００６９】
次に、図１８乃至図２０では本発明の他の形態のマット締結具１２０を図示している。これらは、柱部材１２４と固定ピン１２６がそれぞれマットの角にある締結孔９０に挿入されることに差がある。
【００７０】
即ち、先に説明した図１６のマット締結具１１０は、柱部材１１４がマットの角の間の空間を通して地中に１つだけ打ち込まれるが、本マット締結具１２０の場合には、柱部材１２４がマットの角に形成された締結孔９０を通して地中に埋設されることに差がある。この場合、柱部材がマットを通過して地中に打ち込まれるため、マットの施工状態をさらに堅固にする。
【００７１】
一方、図１９及び図２０で図示したように、マット締結具１２０の圧着部材１２２の中央に孔１２２ｂを形成させ、その上面をナーリング面１２２ａにすると、滑りを防ぐと同時に上記孔１２２ｂを通して光が通過して芝の光合成作用を円滑にする。この際、上記柱部材１２４は支持段部１２４ａと離脱防止段１２４ｂ及び円錐部１２４ｃを備えることができ、その作用は先に説明した通りである。
【００７２】
図２１では本発明のマット組立体で用いられるさらに他の形態のマット締結具１３０を図示している。このような本発明のさらに他の形態のマット締結具１３０は、図２０で図示したマット締結具１２０の柱部材１２４の長さを縮小させマット締結具が地中に殆ど打ち込まれないようにした形態である。図２１で図示した本発明のさらに他の形態のマット締結具１３０は、マットの角の部分を圧着させる円板形態の圧着部材１３２と上記圧着部材の下部に一対が対向位置し、上記マットの締結孔９０を通して挿入されマットを連結する第１固定ピン１３４と、上記圧着部材の下部に上記第１固定ピンの反対側に一対が対向位置し、上記第１固定ピンが打ち込まれないマット締結孔９０に挿入固定される第２固定ピン１３６とで構成される。特に、上記固定ピンはマット１のラグ部材５０の長さに対応して長さが調整されており地中に殆ど打ち込まれない高さを確保することになっている。この際、上記第１固定ピン１３４にはマットの底面に逆掛で支持され一体に設けられた支持段部１３４ａが具備され、従ってマットからの離脱を防ぐ。
【００７３】
また、図２１（ａ）で図示したように、上記圧着部材１３２には開口部１３２ａが形成されているが、この開口部は楕円形であって出来るだけ光の通過が順調であるよう貫通形成されることが好ましい。図２１（ｂ）で図示したように、上記圧着部材１３２の上部はナーリング面１３２ｂで一体に形成され滑りを防止する。  この際、第１固定ピン１３４は図２０の柱部材１２４に該当し、第２固定ピン１３６は図２０の固定ピン１２６に該当し相互の円周に差がある。
【００７４】
図２１で図示した本発明のさらに他の形態のマット締結具１３０は、図１６、２０のマット締結具１１０，１２０の柱部材１１４，１２４が地中Ｇに完全に打ち込まれることに対して、地中に殆ど打ち込まれないよう固定ピンの長さが短くなっているため、マットの連結締結をより速やかに行うことが出来る。この際、上記第１，２固定ピンの長さは地中に打ち込まれないように調整するためには、マットのラグ部材５０の長さに対応形成すれば良い。
【００７５】
これによって、本発明のマット締結具１３０は先に説明したマット締結具１１０，１２０のように使用すると、全てのマット締結具を地中に打ち込む必要がなくマット組立体の組立施工を容易にする。
【００７６】
図２２及び図２３はさらに他の形態の本発明によるマット締結具１４０を図示している。
【００７７】
即ち、本発明のさらに他の形態のマット締結具１４０は、マットの角の部分を押す押棒１４２と、上記押棒の両端下部に一体に設けられマット締結孔９０を通過して地中に打ち込まれたり直接地中に打ち込まれる第１，２柱部材１４４，１４６とを含んで構成されている。この際、上記第１，２柱部材１４４，１４６は、マットの底面に逆掛で支持される支持段部１４４ａ，１４６ａと地中での柱離脱を防ぐよう設けられる離脱防止手段１４４ｂ，１４６ｂと、円錐部１４４ｃ，１４６ｃを少なくとも１つ以上含み、その作用は先に説明した通りである。本発明のさらに他の形態のマット締結具１４０は図２２（ｂ）で図示した通り、芝保護マット１の角の締結孔９０を通過して第２柱部材１４６が地中に打ち込まれ、第１柱部材１４４はマットを通過しないで直接地中に打ち込み簡単に使用することが出来る。
【００７８】
または、図２３で図示したように、隣接した芝保護マット１の角の間を連結固定することに使用できる。
【００７９】
即ち、先に説明したマット締結具１１０，１２０の場合、芝保護マット１の角から対角方向にある締結孔９０に固定ピンや柱部材が挿入されるが、図２２（ａ）のマット締結具１４０は対角方向ではなく隣接角を連結固定する。
【００８０】
これによって、本発明の芝保護マット１とこれを含み、特に、様々な形態のマット締結具１１０，１２０，１３０，１４０のうち１つまたはこれらを混合使用して施されるマット組立体１００は組立施工性を非常に向上させたものである。また、本発明の芝保護マット１は先に説明したマット自体の様々な利点を具備している。
【産業上の利用可能性】
【００８１】
本発明の芝保護マットとこれを含むマット組立体は、芝を非常に安定的に保護し、マット組立体の施工も容易にして実際にゴルフ場や公園の芝生などにおける使用を非常に便利にする。
【００８２】
本発明は、特定の実施例に関して図示し説明したが、添付の特許請求範囲により本発明の精神や分野を外れない限度内で本発明が様々に変更及び変形できることを当業界において通常の知識を有している者は容易に分かることを明らかにする。
【図面の簡単な説明】
【００８３】
【図１】本発明による芝保護マットを図示した斜視図である。
【図２】図１の平面図である。
【図３】図１の側面図である。
【図４】本発明による芝保護マットのフック手段と開口部を図示したものであって、（ａ）は分解斜視図で、（ｂ）は締結状態を図示した斜視図である。
【図５】本発明による芝保護マットのフック手段と開口部の締結状態を図示したものであって、（ａ）は平面図で、（ｂ）は正面図である。
【図６】本発明の芝保護マットのボディー部と突出柱及び緩衝ウィングを図示したものであって、（ａ）は平面図で、（ｂ）は緩衝ウィングを図示した要部平面図である。
【図７】本発明の芝保護マットにおいてラグ部材に提供された補強リブを図示した斜視図である。
【図８】本発明の芝保護マットにおいてラグ部材の間の拡張されたアーチ形態の空隙部を図示した要部図である。
【図９】本発明の芝保護マットを八角形で構成したことを図示したものであって、（ａ）は平面図で、（ｂ）は側面図である。
【図１０】（ａ）及び（ｂ）はそれぞれ本発明による芝保護マットに設けられる陥没防止手段を図示した斜視図である。
【図１１】（ａ）及び（ｂ）はそれぞれ本発明による芝保護マットに設けられる他の陥没防止手段を図示した斜視図である。
【図１２】（ａ）、(b)及び（ｃ）はそれぞれ本発明による芝保護マットに設けられるさらに他の陥没防止手段を図示した斜視図である。
【図１３】従来の芝保護マットを針金で結んだマット組立体の組立状態を図示した平面図である。
【図１４】本発明による芝保護マットをマット締結具で組み立てたマット組立体を図示した平面図である。
【図１５】図１４の正面構造図である。
【図１６】本発明によるマット組立体で用いられるマット締結具を図示したものであって、（ａ）は底面斜視図で、（ｂ）は正面図である。
【図１７】（ａ）及び（ｂ）は図１６のマット締結具の変形例を図示した底面斜視図である。
【図１８】他の形態のマット締結具を含む本発明によるマット組立体を図示した平面図である。
【図１９】図１８の正面構造図である。
【図２０】図１９のマット締結具を図示した底面斜視図である。
【図２１】本発明によるさらに他の形態のマット締結具を図示したものであって、（ａ）は底面斜視図で、（ｂ）は使用状態を図示した正面構造図である。
【図２２】本発明によるさらに他の形態のマット締結具を図示したものであって、（ａ）は斜視図で、（ｂ）は使用状態を図示した正面構造図である。
【図２３】図２２（ａ）のマット締結具の他の使用状態を図示した平面図である。
【図１】
2011019535.tif 000003
【図２】
2011019535.tif 000004
【図３】
2011019535.tif 000005
【図４】
2011019535.tif 000006
【図５】
2011019535.tif 000007
【図６】
2011019535.tif 000008
【図７】
2011019535.tif 000009
【図８】
2011019535.tif 000010
【図９】
2011019535.tif 000011
【図１０】
2011019535.tif 000012
【図１１】
2011019535.tif 000013
【図１２】
2011019535.tif 000014
【図１３】
2011019535.tif 000015
【図１４】
2011019535.tif 000016
【図１５】
2011019535.tif 000017
【図１６】
2011019535.tif 000018
【図１７】
2011019535.tif 000019
【図１８】
2011019535.tif 000020
【図１９】
2011019535.tif 000021
【図２０】
2011019535.tif 000022
【図２１】
2011019535.tif 000023
【図２２】
2011019535.tif 000024
【図２３】
2011019535.tif 000025